(57)【特許請求の範囲】
【請求項１】
商用電源で駆動可能であるとともに二次電池で駆動可能な端末本体と、
商用電源によって前記二次電池に対して普通充電および急速充電で充電可能な充電回路と、
前記端末本体が休止モードのときは、ユーザの設定に関わらず前記二次電池を急速充電し、前記端末本体が前記休止モードでないときは、ユーザの設定に応じて前記二次電池を普通充電または急速充電する制御部と、を有する、
商品情報処理装置。
【請求項２】
前記制御部は、前記端末本体が前記休止モードであっても、予め指定された時間帯では、前記二次電池を普通充電する、
請求項１に記載の商品情報処理装置。
【請求項３】
前記端末本体は、ＰＯＳ端末の本体であり、
前記予め指定された時間帯は、夜間である、
請求項２に記載の商品情報処理装置。
【請求項４】
商用電源で駆動可能であるとともに二次電池で駆動可能な端末本体に、前記二次電池に対して普通充電および急速充電で充電可能な充電回路を設け、
制御部によって前記充電回路を制御して前記端末本体が休止モードのときはユーザの設定に関わらず急速充電で記二次電池を充電し、前記端末本体が前記休止モードでないときはユーザの設定に応じて普通充電または急速充電のいずれかで前記二次電池を充電するようにした
商品情報処理装置の制御方法。
【発明の詳細な説明】
【技術分野】
【０００１】
本発明の実施形態は、商品情報処理装置および商品情報処理装置の制御方法に関する。
【背景技術】
【０００２】
電子機器として例えばＰＯＳ端末においては、通常は商用電源で駆動し、停電時のバックアップ用としてバッテリを内蔵したものが知られている。また、一般の電子機器において、バッテリを用いて駆動するものが知られている。例えばノートパソコンでは、商用電源で駆動されるとともにバッテリに充電し、電源が確保できない場所や停電が発生したときにバッテリで駆動が可能となっている。商用電源とバッテリのいずれでも駆動が可能な電子機器は、商用電源が正常なときには電子機器を商用電源で駆動するとともに、この電子機器の使用中にバッテリに充電するものが一般的である。
【先行技術文献】
【特許文献】
【０００３】
【特許文献１】特開平１０−２４８１７５号公報
【発明の概要】
【発明が解決しようとする課題】
【０００４】
ところで、バッテリは急速充電を行なうとバッテリそのものの温度が上昇し充電の効率が悪くなるとともに、急速充電はバッテリの寿命を損なう恐れがあることが知られている。また、ＰＯＳ端末の動作中に充電を行なう場合は、ＰＯＳ端末１に用いられる電力と充電に用いられる電力とが必要となるので、容量の大きな電源が必要となるため、充電はできるだけ小さい電流値で行ないたい。
【０００５】
一方、頻繁に停電が発生するような状況のときには、あるいはいつ停電が発生するかわからないような地域では、できるだけ早くバッテリへの充電が終わることが望ましい。
【０００６】
そこで、急速充電でも通常の充電でもバッテリに充電行なえるようにした装置を提供する。
【課題を解決するための手段】
【０００７】
本実施例では、商用電源で駆動可能であるとともに二次電池で駆動可能な端末本体と、商用電源によって前記二次電池に対して普通充電および急速充電で充電可能な充電回路と、前記端末本体が休止モードのときは、ユーザの設定に関わらず前記二次電池を急速充電し、前記端末本体が前記休止モードでないときは、ユーザの設定に応じて前記二次電池を普通充電または急速充電する制御部と、を有する、商品情報処理装置とした。
【図面の簡単な説明】
【０００８】
【図１】ＰＯＳ端末の電気ブロック図。
【図２】充電についての回路例を示す図。
【図３】ＰＯＳ端末が実行する処理を示すフローチャート。
【発明を実施するための形態】
【０００９】
以下、図１ないし図３を用いて、この実施の形態を説明する。
【００１０】
図１は電子機器としてのＰＯＳ（Ｐｏｉｎｔ  ｏｆ  Ｓａｌｅｓ）端末１の電気ブロック図、図２は充電についての回路例を示す図、図３はこのＰＯＳ端末１が実行する処理を示すフローチャートである。
【００１１】
ＰＯＳ端末１は、機器本体となる制御部１ａ内にＣＰＵ（Ｃｅｎｔｒａｌ  Ｐｒｏｃｅｓｓｉｎｇ  Ｕｎｉｔ）２に、バスラインを介して、ＲＯＭ（Ｒｅａｄ  Ｏｎｌｙ  Ｍｅｍｏｒｙ）３、ＲＡＭ（Ｒａｎｄｏｍ  Ａｃｃｅｓｓ  Ｍｅｍｏｒｙ）４、キーボード５、表示部６、プリンタ７、ハードディスクドライブ装置（図ではＨＤＤ：Ｈａｒｄ  Ｄｉｓｋ  Ｄｒｉｖｅと示す）８、通信部９、充電制御部１０が接続されて構成されている。また、充電制御部１０には充電回路１１を介してリチウムイオン電池からなる充電可能なバッテリ１２が接続されている。制御部１ａは、商用電源を所定の直流電圧に変換する公知の電源回路１３に接続されて駆動するとともに、商用電源が無い場所あるいは停電時にはバッテリ１２で駆動する。バッテリ１２は、この実施の形態では２５００ｍＡｈのバッテリパック２つをセットにしたもので、電源回路１３から充電回路１１を介して充電される。充電回路１１には、バッテリ１２を急速充電したいときに人が操作することで急速充電が可能となる急速充電キー１４が設けられている。電源回路１３は、商用電源に接続し、制御部１ａを駆動する電圧Ｖｃｃとバッテリへ充電するための電圧Ｖ＿ｂａｔｔｅｒｙを出力する。
【００１２】
キーボード５と表示部６とは一体的に形成されたタッチパネルとなっていて、表示部６に表示されたボタンを押すとキー入力される。プリンタ７は、レシートプリンタであり、客が買い求めた商品についてレシートを印字して出力する。ハードディスクドライブ装置８は、汎用ＯＳ（Ｏｐｅｒａｔｉｎｇ  Ｓｙｓｔｅｍ）やアプリケーションソフトウェアなどが保存されている。通信部９は、ＬＡＮ回線などを通じてサーバに接続され、客が購入しようとする商品の金額や値段等の商品情報をＰＯＳ端末１からサーバに問い合わせ、その情報をサーバから受信する。制御部１ａ、充電回路１１、バッテリ１２、電源回路１３は、ＰＯＳ端末１の筐体内に一体に設けられている。
【００１３】
充電回路１１は、電源回路１３からの電力供給でバッテリに充電するための回路である。図２に示すように、充電制御部１０の制御によって、充電回路１１からバッテリに供給される充電電流が切り替えられる。詳細な説明は省略するが、充電回路１１は、２つ以上の抵抗などの回路素子の組み合わせを変更することによって、急速充電と普通充電を切り分ける。
【００１４】
次にこのＰＯＳ端末１が行なう処理を説明する。まず、このＰＯＳ端末１で休止モードが設定されたか否かが判断される（Ａｃｔ１）。休止モードが設定されれば、充電制御回路１０の制御によって充電回路１１で急速充電ができるよう急速充電モードとして、休止状態に入る。Ａｃｔ１で休止モードでなければ、急速充電キー１４がオンされているか否かを判断する。急速充電キー１４がオンされていなければ、急速充電モードを解除する（Ａｃｔ４）。また、急速充電キー１４がオンされていたら急速充電モードを設定する（Ａｃｔ５）。
【００１５】
次に、キーボード５等から商品情報に関する入力が行なわれると（Ａｃｔ６）、商品決済処理を行なう（Ａｃｔ７）。ここで商品決済とは、客が購入する商品の売り上げをサーバなどに記録するとともに、客に対する金銭授受に関してＰＯＳ端末１に記録することで、登録処理と呼ばれることもある。商品決済処理が終了して、金銭の授受が確定したことを示すキーが押されるとレシート印字であると判断され（Ａｃｔ８）、商品情報や買い上げ金額が印字されたレシートがプリンタ７で印字される（Ａｃｔ９）。
【００１６】
このようなＰＯＳ端末１において商用電源が正常な場合は、この商用電源から電源回路１３が電力供給を受けて動作する。また、この商用電源からの電力で充電回路１１はでバッテリ１２に充電する。このバッテリ１２への充電時は、急速充電と通常充電とが行なえるようになっている。ここで、急速充電とは、例えば１時間でバッテリ１２を半分の容量あるいは満充電できる０．５Ｃから１．０Ｃ程度で充電するものであり、通常充電は例えば１時間でバッテリの１／１０程度の容量に充電できる０．１Ｃ以下で充電する場合を指すが、用いられるバッテリや充電回路、ＰＯＳ端末１の特性に応じて適宜変更可能である。
【００１７】
商用電源が使えない場所あるいは停電時には、このＰＯＳ端末１はバッテリ１２から電力供給を受けて動作する。プリンタ７でレシート用紙に印字しながら使用する場合には、この実施の形態の５０００ｍＡｈのリチウムイオンバッテリ１２で約１時間半から２時間程の時間使用可能である。
【００１８】
ＰＯＳ端末１は、タッチパネルとなっている表示部６のキーボード５のキー入力によって多くの動作が行なわれる。まず、タッチパネルの入力により休止モードにされれば、制御部１ａによる各種の処理が停止し、ハードディスクドライブ装置８の回転も停止する。このため、制御部１ａでほとんど電力消費がなくなり、電源に余裕が生じるので、充電に用いる電流を多くすることができる。休止モードでなければ、充電回路１１の人が操作可能な急速充電キー１４がオンされているかを検出し、オンされていれば急速充電モードにする。また、この急速充電キー１４がオンされていなければ急速充電モードを解除して、商品情報の入力や金銭授受などの商品決済処理を行い、決済が終わったならばレシートにプリンタ７で印字する。休止モードとは、表示部６が消え、キーボード５の入力が行なえない状態であるので、この休止モードから復帰するためには電源ボタンを押す。
【００１９】
この実施の形態で用いられる５０００ｍＡｈのバッテリ１２を例えば０．５Ｃで充電するときは、論理的には２．５アンペアの充電電流となる。ＰＯＳ端末１が処理を行なっているときにも大きな電力消費があるため、充電に必要な電力と合せるとかなり容量の大きい電源が必要となる。一方、この実施の形態のように、ＰＯＳ端末１が通常の動作を行なうときにはバッテリ１２に例えば０．１Ｃ程度の通常充電を行い、ＰＯＳ端末１が休止のときすなわちＰＯＳ端末1が使われることが無いことが明確なときに急速充電を行なうようにしたので、ＰＯＳ端末１の動作とバッテリ１２の急速充電を行なうためには電源容量が比較的小さな電源を用いることができる。また、バッテリ１２の通常充電と急速充電を使い分けられるので、例えば商用電源が比較的安定していてバッテリ１２を急速充電する必要がないようなときには急速充電を行なわないようにしたので、バッテリ１２の寿命を長くすることができる。
【００２０】
充電制御部１０は、充電回路１１に急速充電を行なうか否かの設定ができる。充電回路１１は、内部に急速充電を行なう場合と通常充電を行なう場合とを切り替える電気的なスイッチを有して、このスイッチを切り替えることでバッテリ１２の通電電流量を調整可能である。前述したマニュアル操作可能な急速充電キー１４でも、このスイッチが切り替えられる。例えば１日に数回の停電があることが事前にわかっているようなときには、１回目の停電時に消費したバッテリ１２の電力容量を、次の停電が始まる前に蓄積するときには、急速充電キー１４を用いて急速充電することもできる。
【００２１】
この実施の形態では、電子機器としてＰＯＳ端末を例にして説明したが、例えばいわゆるノートパソコンのように、商用電源とバッテリとの両方で駆動できるものに適用可能である。また、電子機器のような制御部を持たずに、バッテリに充電するための充電装置であっても実施可能である。すなわち、バッテリに充電するための回路として、急速充電と普通充電が行なえるようにして、急速充電と普通充電とを切り替えるための情報を受け付ける入力部がある充電装置とすれば良い。充電装置として形成する場合には、電子機器の例えばＵＳＢ（Ｕｎｉｖｅｒｓａｌ  Ｓｅｒｉａｌ  Ｂｕｓ）ポートと接続して電子機器に制御されるようにされてもよい。
【００２２】
また、ＰＯＳ端末１が例えば５分とか１０分程度の時間操作されないときには、ＰＯＳ端末１をスリープモードとして表示器を暗くするとともに、ハードディスク装置８の駆動をとめて、制御部１ａでの電力消費を減らし、バッテリ１２を急速充電するようにしてもよい。
【００２３】
この実施の形態では、休止モードとしたときに急速充電を行なうようにしたが、休止モードにするときが例えば夜間などで１０時間程度使わないことがわかっているのであれば、休止モードにしたときに急速充電キー１４がオンとなっていても急速充電せずに普通充電するようにしてもよい。
【００２４】
この実施の形態では、例えば休止モードになったときという簡易な制御で、かつ、急速充電スイッチ１５の切替という簡易な回路でバッテリ１２に急速充電するかを設定できる。
【００２５】
このように、上記の実施の形態例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２６】
１・・ＰＯＳ端末
１ａ・・制御部
１０・・充電制御部
１１・・充電回路
１２・・バッテリ（二次電池）
１３・・電源回路
１４・・急速充電キー
【図１】
0005758238.tif 000002
【図２】
0005758238.tif 000003
【図３】
0005758238.tif 000004